(57)【特許請求の範囲】
【請求項１】
冷蔵庫のドアの開閉により負荷が収納される場合、前記負荷を撮像して映像イメージを生成するための映像イメージ生成手段と；
前記負荷が収納された後の映像イメージと負荷が収納される前の映像イメージとの相関関係により駆動される駆動体が回転するように制御する制御手段；及び
冷気が前記負荷方向に吐出されるために前記制御手段により制御される吐出手段と；
を含むことを特徴とする冷蔵庫の冷気制御装置。
【請求項２】
前記冷蔵庫のドアの開閉を感知し、その感知信号を前記制御手段に送るための感知手段を更に含むことを特徴とする請求項１記載の冷蔵庫の冷気制御装置。
【請求項３】
前記負荷が収納される前の映像イメージは、冷蔵庫のドアが任意に開閉される時に生成されることを特徴とする請求項１記載の冷蔵庫の冷気制御装置。
【請求項４】
前記負荷は、負荷が収納される空間に位置されることを特徴とする請求項１記載の冷蔵庫の冷気制御装置。
【請求項５】
前記相関関係は、負荷が収納される空間の負荷の位置及び大きさの変化であることを特徴とする請求項１記載の冷蔵庫の冷気制御装置。
【請求項６】
前記映像イメージ生成手段は、前記冷蔵庫のドアが閉まる度に負荷が収納される空間を対象として撮像することを特徴とする請求項１記載の冷蔵庫の冷気制御装置。
【請求項７】
前記駆動体は球状であり、その内部を前記吐出手段が貫通することを特徴とする請求項１記載の冷蔵庫の冷気制御装置。
【請求項８】
前記駆動体は、冷蔵庫の内側の壁面に取り付けられ、その内側が球状である駆動体ケースに挿着されることを特徴とする請求項７記載の冷蔵庫の冷気制御装置。
【請求項９】
前記負荷が収納される位置及び大きさに応じて前記駆動体の回転程度が相違することを特徴とする請求項１記載の冷蔵庫の冷気制御装置。
【請求項１０】
前記映像イメージ生成手段は、前記駆動体と一対一に対応し、双方所定位置に備えられることを特徴とする請求項１記載の冷蔵庫の冷気制御装置。
【請求項１１】
冷蔵庫のドアの開閉により負荷が収納される場合、前記負荷を撮像して映像イメージを生成する段階と；
前記負荷が収納された後の映像イメージと負荷が収納される前の映像イメージとの相関関係に応じて駆動される駆動体が回転するように制御する段階；及び
前記制御手段の制御により冷気を前記負荷の方向に吐出す段階；
とを含むことを特徴とする冷蔵庫の冷気制御方法。
【請求項１２】
前記映像イメージは、前記冷蔵庫のドアの開閉が感知される度に生成されることを特徴とする請求項１１記載の冷蔵庫の冷気制御方法。
【請求項１３】
前記負荷が収納される前の映像イメージは、冷蔵庫のドアが任意的開閉により生成されることを特徴とする請求項１１記載の冷蔵庫の冷気制御方法。
【請求項１４】
前記相関関係は、負荷が収納される空間の負荷の位置及び大きさの変化であることを特徴とする請求項１１記載の冷蔵庫の冷気制御方法。
【請求項１５】
前記負荷が収納される位置及び大きさに応じて前記駆動体の回転程度が相違することを特徴とする請求項１４記載の冷蔵庫の冷気制御方法。
【請求項１６】
制御手段から冷蔵庫のドアの開閉による撮像命令が映像イメージ生成手段に伝わる場合、前記映像イメージ生成手段で前記撮像命令に応答して負荷が収納される空間を対象として撮像し、生成された映像イメージを前記制御手段に送る段階；及び
前記制御手段で映像イメージの変化に応じて駆動体を回転し、冷気が吐出されるように制御する段階；
とを含むことを特徴とする冷蔵庫の冷気制御方法。
【請求項１７】
前記撮像命令は、冷蔵庫のドアの開閉により感知された感知信号に基づいて前記制御手段から生成されることを特徴とする請求項１６記載の冷蔵庫の冷気制御方法。
【請求項１８】
前記映像イメージの変化は、前記負荷が収納される空間に位置する負荷の存在有無により決定されることを特徴とする請求項１６記載の冷蔵庫の冷気制御方法。
【請求項１９】
前記負荷が収納される空間に負荷が存在する場合、前記映像イメージから負荷の位置及び大きさが把握されることを特徴とする請求項１８記載の冷蔵庫の冷気制御方法。
【発明の詳細な説明】
【０００１】
【発明の属する技術分野】
本発明は、冷蔵庫に関し、特に冷蔵庫に弱冷の部分または新規負荷が収納される部分を集中冷却するための冷気制御装置に関する。
【０００２】
【従来の技術】
一般に、冷蔵庫は、飲食物等を冷凍したり冷蔵保管したりするのに使用されている。
かかる冷蔵庫は、暑い地方で腐敗し易い飲食物、新鮮度が維持されなければならない魚類を冷蔵または冷凍可能な装置であって、冷媒を圧縮及び凝縮、蒸発過程を通じた冷凍サイクルにより周囲から熱を奪って周囲を冷却する。
前記のような原理を適用した冷蔵庫により飲食物、魚、果物、飲料水等を何時でも冷蔵でき、必要に応じては、何時でも氷を作って食用に供することができるという便利さのため、現代社会では、欠かすことができない家電製品となっている。
【０００３】
図１０は、一般の冷蔵庫の構造を示す斜視図である。図１０を参照すると、前記冷蔵庫は、本体１４の隔壁１８を中心にして冷凍室２４と冷蔵室２６とに区分される。前記冷凍室２４及び冷蔵室２６と外部の空気とを断絶するためにドア（図示せず）が前面のサイドに取付けられる。
一方、前記冷蔵庫には、前記冷凍室２４と冷蔵室２６の冷却に必要な冷気を形成するように圧縮、凝縮及び蒸発作用を遂行する冷凍サイクル機器が備えられる。また、前記冷蔵庫には、冷凍サイクルにより作られた冷気を前記冷凍室２４及び冷蔵室２６に強制送風する送風ファン１２が、前記冷凍室２４の上段後面の送風室１０に取付けられる。
【０００４】
また、前記冷蔵室２６の各棚１６に冷気を吐出する前方冷気吐出口２０ａが、前記送風室１０と相互連通する前記冷凍室２４及び冷蔵室２６との間の隔壁１８の一定の位置に多数形成される。
また、前記冷凍室の所定の位置に設けられ、周囲の空気を吸込むための冷気吸込口２２が備えられている。
【０００５】
前記のように構成された冷蔵庫では、圧縮機により低温低圧の気状冷媒が高温高圧に圧縮され、圧縮された高温高圧の気状冷媒が凝縮機を経由する過程で冷却凝縮され、高圧の液状に転換される。そして、高圧の液状となった冷媒は毛細管（図示せず）を通りながらその温度と圧力が低くなった後、続いて蒸発器で低温低圧の気状に変わりながら周囲の熱を奪い、その周囲の空気を冷却する。更に、蒸発器を通り冷却された空気は、蒸発器の一側に位置した送風ファン１２の作動により冷凍室２４及び冷蔵室２６に流入され循環することにより、冷凍室及び冷蔵室の内部の温度を下げるようになる。
【０００６】
前述の如く、冷蔵庫には、蒸発器の周囲で形成された冷気を冷凍及び冷蔵室の各収納空間に冷気を隈なく送るために、冷気分配システムが備えられる。勿論、かかる冷気分配システムは、冷蔵庫の種類に応じて様々な形態で構成される。
図１０及び図１１を参照して冷気分配システムを説明すると、ダンパー２０が冷蔵室２６の上段に備えられて送風室１０と連通される。
前記ダンパー２０には、一側面に前方冷気吐出口２０ａと下方冷気吐出口２０ｂとが形成される。
【０００７】
従って、前記のように構成された冷気分配システムでは、蒸発器の周囲で形成されて送風室１０に移送された冷気を送風室１０に備えられた送風ファン１２により冷凍室２４及びダンパー２０に分散させる。
このとき、前記冷凍室２４に流入された冷気は、冷凍室の内部を循環した後、冷凍室の底面の冷気吸込口２２ｂを通じて再び蒸発器に移動し、前記ダンパー２０に流入された冷気は、側面の前方冷気吐出口２０ａを通じて冷蔵室２６に吐出される。
前記ダンパー２０の前方冷気吐出口２０ａを通じて冷蔵室の上部に吐出された冷気は、ドア１５と収納棚１６との間の空間を通じて下方に移動しながら、各収納棚１６の間の収納空間に分配流入された後、最終的には蒸発器に連結された冷気吸込口２２に流入される。
【０００８】
【発明が解決しようとする課題】
ところが、前述のような従来技術によると、上部ダンパーから吐出された冷気がダンパー２０と遠く離れた冷蔵室の中・下部までは冷気がよく伝わらないことにより、冷却作用が効果的に遂行されず冷蔵室の温度分布が不均一になるという問題点が存在する。
上部ダンパーから遠く離れたドア１４の付近に伝わる冷気供給量が不足し、ドアのバスケットに収納された食品がよく冷却されないという問題点もある。
【０００９】
一方、前記のように構成された従来の冷蔵庫では、新規負荷（例えば、食品）が収納された冷蔵室２６内の各棚１６及び冷蔵室２６自体の重さを感知し、前記冷蔵室２６内に冷気を吐出及び遮断するか、または冷蔵室２６の特定部位に取付けられた温度センサー（図示せず）が冷蔵室２６自体の温度を感知判断し、前記冷蔵室２６の周囲の温度の高低に応じて冷蔵室全体に冷気を吐出及び遮断させる。
ところが、かかる冷気制御方式を用いると、前記のように新規負荷により冷蔵室の周囲の温度及び重さが上昇する場合に、上昇した冷蔵室全体の周囲の温度を低下させるために、一定時間の間冷蔵室全体に冷気を吐出し、冷蔵庫自体の電力消費が大きくなるという問題点がある。
【００１０】
また、前記のように冷蔵室全体を冷却する冷却制御方式では、冷蔵室全体の周囲の温度を低下させながら、前記収納された新規負荷を冷却するため、冷気による新規負荷の冷却速度及び冷蔵庫の冷却能力が大きく低下するという問題点も発生させる。
本発明は、前記のような問題点を解決するために案出されたものであって、冷蔵庫の冷気を制御するための装置を提供することにその目的がある。
本発明は、収納された負荷が位置する部分を集中冷却させるための装置を提供することに他の目的がある。
【００１１】
【課題を解決するための手段】
前記の目的を達成するための本発明の好ましい一実施形態によると、冷蔵庫のドアの開閉により負荷が収納される場合、前記負荷を撮像して映像イメージを生成するための映像イメージ生成手段と、前記負荷が収納された後の映像イメージと負荷が収納される前の映像イメージとの相関関係により駆動される駆動体が回転するように制御する制御手段、及び前記制御手段の制御により冷気を前記負荷方向に吐出すための吐出手段とを含む冷蔵庫の冷気制御装置が提供される。
【００１２】
前記冷蔵庫の冷気制御装置によると、前記冷蔵庫のドアの開閉を感知し、その感知信号を前記制御手段に送るための感知手段を更に含むことができる。
前記冷蔵庫の冷気制御装置によると、前記相関関係は、負荷が収納される空間の負荷の位置及び大きさの変化である。
前記冷蔵庫の冷気制御装置によると、前記映像イメージ生成手段は、前記冷蔵庫のドアが閉まる度に負荷が収納される空間を対象として撮像することができる。
【００１３】
前記冷蔵庫の冷気制御装置によると、前記駆動体は球状であり、その内部を前記吐出手段が貫通し、冷蔵庫の内側の壁面に取り付けられ、その内側が球状である駆動体のケースに挿着できる。
前記冷蔵庫の冷気制御装置によると、前記負荷が収納される位置及び大きさに応じて前記駆動体の回転程度が相違し得る。
前記冷蔵庫の冷気制御装置によると、前記映像イメージ生成手段は、前記駆動体と一対一に対応し、双方所定位置に備えられ得る。
【００１４】
本発明の他の好ましい実施形態によると、冷蔵庫のドアの開閉により負荷が収納される場合、前記負荷を撮像して映像イメージを生成し、前記負荷が収納された後の映像イメージと負荷が収納される前の映像イメージとの相関関係に応じて駆動される駆動体が回転するように制御し、前記制御手段の制御により冷気を前記負荷の方向に吐出すことを含む冷蔵庫の冷気制御方法が提供される。
前記冷蔵庫の冷気制御方法によると、前記映像イメージは、前記冷蔵庫のドアの開閉が感知される度に生成され得る。
前記冷蔵庫の冷気制御方法によると、前記負荷が収納される位置及び大きさに応じて前記駆動体の回転程度が相違し得る。
【００１５】
本発明のまた別の好ましい実施形態によると、制御手段から冷蔵庫のドアの開閉による撮像命令が映像イメージ生成手段に伝わる場合、前記映像イメージ生成手段で前記撮像命令に応答して負荷が収納される空間を対象として撮像し、生成された映像イメージを前記制御手段に送り、前記制御手段で映像イメージの変化に応じて駆動体を回転して冷気を吐出すように制御することを含む冷蔵庫の冷気制御方法が提供される。
前記冷蔵庫の冷気制御方法によると、前記撮像命令は、冷蔵庫のドアの開閉により感知された感知信号に基づいて前記制御手段から生成され得る。
前記冷蔵庫の冷気制御方法によると、前記映像イメージの変化は、前記負荷が収納される空間に位置する負荷の存在有無により決定され得る。
【００１６】
本発明のまた他の好ましい実施形態によると、送風室に連結されたダンパーの一側に接続され冷凍室と冷蔵室との間の隔壁に設けられる補助ダクトと、前記補助ダクトに一定区間毎に設けられ冷気が吐出される冷気噴射ノズルと、ドアバスケット毎にその一側に配置され温度を感知する温度センサー、及び前記温度センサーを通じて把握された各ドアバスケットの収納空間の温度変化に応じて前記冷気噴射ノズルが回転するように駆動モーターを駆動する制御機とを含む冷蔵庫の冷気制御装置が提供される。
【００１７】
前記冷蔵庫の冷気制御装置によると、前記補助ダクト側に冷気が加圧されるように前記ダンパーの一側に設けられる補助送風ファンを更に含むことができる。前記冷蔵庫の冷気制御装置によると、前記制御機は、温度変化が発生した収納空間の位置に応じて各冷気噴射ノズルの回転程度が異なるように制御することができる。
【００１８】
【発明の実施の形態】
以下、添付した図面を参照し、本発明の好ましい実施形態を説明する。
図１は、本発明の好ましい一実施形態による冷蔵庫を示す図である。図２は、図１において冷気吐出口が形成された回転部材を示す図である。図１及び図２を参照すると、前記冷蔵庫には、冷蔵室１２０の各棚１２２の間の収納空間の内側壁面１２７に複数の映像機器１１０が備えられている。ここで、前記映像機器１１０は、対象物体を撮像できるデジタルカメラであることが好ましい。従って、前記映像機器１１０により対象物体が撮像され、映像イメージの形態として冷蔵庫に備えられた制御機（図示せず）に入力され得る。ここで、前記制御機は、マイコンと呼ばれるものであって、冷蔵庫の各種のセンサー及び電子機器から入力される信号を用いて冷蔵庫を最適化させるようになる。
【００１９】
また、前記映像機器１１０は、各棚１２２の間の収納空間毎に内側壁面１２７に２つずつ設けられることが好ましい。
前記冷蔵庫には、前記映像機器１１０と対応する回転部材１１２が、前記映像機器１１０から一定距離を隔ててその下段に設けられる。前記回転部材１１２は、冷蔵室１２０の内側壁面１２７に取付けられた映像機器１１０の下段に取付けられており、球状の駆動体１１６が挿着されて回転できるように、内側が球状に形成された駆動体ケース１１４が備えられる。ここで、前記駆動体１１６は、前記駆動体ケース１１４内に挿着され、前記制御機の制御により前記駆動体ケース１１４内を回転するようになる。
【００２０】
前記回転部材１１２には、新規負荷（例えば、食品）が前記冷蔵室１２０に収納される場合、前記新規負荷に冷気を吐出すことができる冷気吐出口１１８が備えられる。
従って、冷蔵室１２０に新規負荷が収納される場合、前記映像機器１１０により前記新規負荷が収納される前と前記新規負荷が収納された後の映像イメージを通じた相関関係に基づき、前記駆動体を前記新規負荷の方向に回転させた後、冷気を吐出すことができる。
ここで、説明していない図面符号１２４及び１２６は、それぞれ冷凍室及び冷蔵室を開閉できるドアを示す。
【００２１】
以上のように冷蔵庫の冷蔵室の内側壁面に取付けられた映像機器を用いて冷気を制御する方法を説明する。
図３乃至図５は、本発明の好ましい一実施形態による冷蔵庫において収納された負荷の位置に冷気が吐出されることを示す図である。先ず、冷蔵室に負荷（食品）が収納される前に、映像機器１１０により前記負荷１２８が収納される空間を対象として撮像され、映像イメージが形成される。前記映像機器は、前記冷蔵庫の開閉により作動し撮像する。例えば、負荷が収納される前に使用者が前記冷蔵庫を開閉すると、前記冷蔵庫の開閉により前記映像機器が作動し、前記負荷が収納される空間を撮像する。このとき、前記映像機器により予め撮像された映像イメージは、制御機に入力される（図３）。
【００２２】
使用者が前記負荷を前記冷蔵庫に収納するために冷蔵庫を開閉すると、再び前記映像機器１１０は、前記負荷が収納された空間を撮像する。即ち、使用者が冷蔵庫のドアを開け、前記負荷を前記冷蔵庫の前記負荷が収納される空間に収めた後、前記冷蔵庫のドアを閉めると、前記冷蔵庫の閉により前記映像機器が作動し、前記負荷が収納された空間を対象として撮像が行われる。そして、前記撮像された映像イメージは、前記制御機に入力される（図４）。
【００２３】
前記制御機では、負荷が収納される前の映像イメージと負荷が収納された後の映像イメージとを比べて負荷の位置及び大きさを把握する。前記負荷の位置及び大きさが把握された後、前記制御機は、回転部材１１２の駆動体１１６を前記負荷の方向に回転させた後、冷気吐出口１１８を通じて冷気を吐出す（図５）。勿論、このとき、前記駆動体１１６を回転させるためにモーター（図示せず）が制御機と駆動体との間に備えられることが好ましい。よって、前記制御機が前記モーターを駆動すると、前記モーターにより前記駆動体が前記負荷の方向に回転し、続いて、前記冷気吐出口１１８を通じて冷気が吐出される。
前述のように、映像機器を用いて冷気を制御する方法を、図６を参照して詳しく説明する。
【００２４】
図６は、本発明の好ましい一実施形態による冷蔵庫において冷気を制御する方法を説明するための順序図である。図６を参照すると、使用者が冷蔵庫のドアを開けているのか、または閉めているのかを確認する（段階２１１）。ここで、冷蔵庫のドアの開閉を感知するために、冷蔵庫のドアの一側に感知センサーが備えられることが好ましい。従って、冷蔵庫の開閉により感知信号が発生し制御機に入力され、前記制御機では、入力される感知信号の個数に基づき、冷蔵庫の開閉状況を確認することができる。即ち、前記感知センサーから１つの感知センサーが入力される場合には、冷蔵庫が開けられた状態であり、２つの感知信号が入力される場合には、冷蔵庫が閉まった状態となる。
【００２５】
前記制御機では、冷蔵庫の開閉に基づき、映像機器を通じて負荷が収納される空間を撮像するように制御する。即ち、前記制御機は、前記感知センサーから感知信号が２つ入力された場合、これを冷蔵庫の閉と把握し、撮像命令を前記映像機器に送る。そうすると、前記映像機器では、前記撮像命令に応じて負荷が収納される空間を撮像して映像イメージを生成する（段階２１４）。ここで、前記映像イメージは三次元立体映像で、撮像対象（例えば、負荷）の位置及び大きさをピクセル形態で表示する。
【００２６】
仮に、冷蔵庫に負荷が収納されずに冷蔵庫が開閉される場合には、負荷が収納される空間の底面に対する映像イメージのみ生成される。これとは逆に、冷蔵庫に負荷が収納されながら冷蔵庫が開閉される場合には、前記負荷に対する映像イメージが生成される。
従って、冷蔵庫を任意に開閉することにより、負荷が収納される前の映像イメージが予め生成されて前記制御機に入力され、負荷を収納するために冷蔵庫が開閉されることにより負荷が収納された後の映像イメージが生成され、前記制御機に入力される。
【００２７】
前記制御機では、前記負荷が収納される前の映像イメージと前記負荷が収納された後の映像イメージとを比べて負荷の位置及び大きさを把握する（段階２１７）。即ち、前記制御機では、予め生成された負荷が収納される前の映像イメージに基づき、負荷が収納された後の映像イメージを用いて負荷の基準位置からどれほど離れており、その大きさがどの位になるかに関する情報を把握する。
前記負荷の位置及び大きさが把握されると、前記制御機は、モーターを駆動して負荷の位置及び大きさに応じて駆動体が回転するように制御する（段階２２０）。
【００２８】
そして、前記駆動体が前記負荷の位置及び大きさに適するように照準されると、前記制御機の制御により前記駆動体の中央に形成された冷気吐出口を通じて冷気が吐出される（段階２２３）。
前述した本発明の好ましい一実施形態による冷気制御方法と既存の温度センサー及び対象物の重さを用いる場合、新たに収納された負荷を更に集中的に冷却できる。
前述した本発明の好ましい一実施形態では、負荷が冷蔵室に収納される場合において、冷気を前記負荷の方向に吐出す方法を説明した。
【００２９】
以下では、弱冷がしばしば発生し、負荷が頻繁に収納されるドアバスケットにおいて、冷気を制御する方法について説明する。
図７は、本発明の他の好ましい実施形態による冷蔵庫を示す図である。図８及び図９は、本発明の他の好ましい実施形態による冷蔵庫において、ドアバスケットに冷気を吐出す作動状態を示す状態図である。図７及び図８を参照すると、前記冷蔵庫は、送風室１３０がダンパー１３８に連結され、前記送風室１３０から前記ダンパー１３８に冷気が流入される入口には、冷気を前記ダンパー１３８に給送するために送風ファン１３２が設けられている。
【００３０】
また、前記冷蔵庫には、冷凍室１３３と冷蔵室１３５との間の隔壁１３４の内部を通じて補助ダクト１４２が備えられる。前記補助ダクト１４２には、一定区間毎に、回転可能で冷気を吐出すことができる冷気噴射ノズル１７１乃至１７４が複数個備えられる。このとき、前記冷気噴射ノズル１７１乃至１７４は、駆動モーターにより回転可能であり、このための駆動モーター（図示せず）が、前記冷気噴射ノズル１７１乃至１７４に連結されるように設けられている。
【００３１】
また、前記冷蔵室１３５には、ドアバスケット１６１乃至１６４の間に形成された各収納空間に配置され温度を感知する温度センサー１６５乃至１６８が備えれれる。前記温度センサー１６５乃至１６８は、各収納空間の温度を感知して制御機に送り、このように感知された温度に応じて冷気が吐出されるようになる。
前記補助ダクト１４２は、ダンパー１３８から一定の区間ドア１５０側に水平延長する水平部１４４と、前記水平部１４４の先端から下方に垂直延長する垂直部１４６とからなる。
【００３２】
前記冷気噴射ノズル１７１乃至１７４は、補助ダクト１４２の垂直部１４６に一定の間隔を隔てて配置され、基本的にドアバスケット１６１乃至１６４の収納空間側方向に突出するように形成される。ここで、前記冷気噴射ノズル１７１乃至１７４は、前記収納空間に対応するように備えられることが好ましい。即ち、前記収納空間が４つの場合、前記冷気噴射ノズルも前記収納空間に対応するように４つが備えられるようになる。
そして、前記ダンパー１３８には、補助ダクト１４２側に冷気を加圧するための補助送風ファン１５４が備えられる。
更に、前記駆動モーターは、温度センサー１６５乃至１６８を通じて把握された各収納空間の冷却負荷の変動、即ち温度変化に応じて制御されるように制御機に連結される。
【００３３】
前述のような本発明の他の好ましい実施形態による冷蔵庫において冷気を制御する方法を説明する。
図８に示すように、送風室１３０からダンパー１３８に流入された冷気は、補助ダクト１４２とダンパー１３８とに両分されて流動することにより、補助ダクト１４２の冷気噴射ノズル１７１乃至１７４でも持続的に冷気が噴射されるようになる。このとき、前記補助ダクト１４２に流入された冷気は、冷気噴射ノズル１７１乃至１７４の開閉に応じて吐出されるようになる。基本的に、前記冷気噴射ノズルの方向は、ドアバスケット１６１乃至１６４側に向くことが好ましい。ここで、前記ドアバスケット１６１乃至１６４は、ドア１５０の上下に一定の区間毎に取付けられるようになる。
【００３４】
そして、仮に温度が高い負荷（例えば、食品）を保管したりして特定の収納空間の冷却負荷が高くなると、前記収納空間に備えられた温度センサー１６５乃至１６８により温度が感知され制御機に送られる。前記制御機では、前記特定の収納空間に対する温度変化を把握して駆動モーターを回転させ、前記駆動モーターの駆動によりこれに連結された冷気噴射ノズル１７１乃至１７４を回転させることにより、吐出される冷気が特定の収納空間に向くようになる。
このとき、特定の収納空間が弱冷になるか、新規負荷が収納される場合、前記冷気噴射ノズル１７１乃至１７４は、前記特定の収納空間に向くように、前記制御機により制御される。例えば、図９に示すように、弱冷になるか、新規負荷が収納されるところが４段ドアバスケット１６４の場合、前記制御機は、前記冷気噴射ノズルの方向が前方下向きになるように、前記冷気噴射ノズルの回転方向を制御する。
【００３５】
このとき、各冷気噴射ノズルの回転程度は、前記冷気噴射ノズルの位置に応じて異なるようになる。即ち、前記４段ドアバスケット１６４に対応するように備えられた冷気噴射ノズル１７４は、正面に向くようになり、前記１段、２段及び３段ドアバスケット１６１乃至１６３に対応するように備えられた冷気噴射ノズル１７１乃至１７３は、前記４段ドアバスケット１６４に対応するように備えられた冷気噴射ノズル１７４より前方下向きに更に大きく回転するようになる。
前述のように、ダンパーに備えられた補助送風ファンにより補助ダクト側に冷気が加圧されるため、補助ダクト側に移送される冷気の流路抵抗が減少し、冷気噴射ノズルから噴射される冷気の圧力が強くなる。
【００３６】
【発明の効果】
以上説明したように、本発明の好ましい一実施形態によると、冷蔵室の内側壁面に設けられた映像機器を用いて新たに収納される負荷を把握して負荷方向に冷気を吐出すことにより、新たに収納された負荷に対する速やかな冷却を通じて冷蔵庫内の温度分布が均一に維持され、冷蔵庫の消費電力を大きく減らすことができる。
従って、本発明の好ましい一実施形態と既存の温度センサー及び対象物の重さを用いると、新たに収納された負荷を更に集中的に冷却することができ、負荷に対する集中冷却性能を向上することができる。
【００３７】
また、本発明の他の好ましい実施形態によると、御度センサーを用いて周囲温度が高いドアバスケットのような特定の収納空間に冷気を集中して吐出すことにより、冷蔵室内の温度を均一に維持することができ、集中冷却時の機構的な作動を使用者が視覚的に確認することができ、冷蔵庫の性能に対する期待感が高まる等、冷蔵庫の商品性の向上に役立つ。
以上の通り、本発明は、図面に示されたサイドバイサイド型冷蔵庫にのみ局限されず、あらゆる形態の冷蔵庫に適用され得るということを明らかにする。
【図面の簡単な説明】
【図１】本発明の好ましい一実施形態による冷蔵庫を示す図である。
【図２】図１において冷気吐出口が形成された回転部材を示す図である。
【図３】本発明の好ましい一実施形態により冷蔵庫において収納された負荷位置に冷気が吐出されることを示す図である。
【図４】本発明の好ましい一実施形態により冷蔵庫において収納された負荷位置に冷気が吐出されることを示す図である。
【図５】本発明の好ましい一実施形態により冷蔵庫において収納された負荷位置に冷気が吐出されることを示す図である。
【図６】本発明の好ましい一実施形態による冷蔵庫において冷気を制御する方法を説明するための図である。
【図７】本発明の他の好ましい実施形態による冷蔵庫を示す図である。
【図８】本発明の他の好ましい実施形態による冷蔵庫においてドアバスケットに冷気を吐出する作動状態を示す図である。
【図９】本発明の他の好ましい実施形態による冷蔵庫においてドアバスケットに冷気を吐出する作動状態を示す図である。
【図１０】一般の冷蔵庫の構造を示す斜視図である。
【図１１】従来の冷気分配システムによる冷気循環状態を示す図である。
【符号の説明】
１１０…映像機器
１１２…回転部材
１１４…駆動体ケース
１１６…駆動体
１１８…冷気吐出口
１２８…負荷
１４２…補助ダクト
１７１乃至１７４…冷気噴射ノズル
１６５乃至１６８…温度センサー
【図１】
0003732807.tif 000002
【図２】
0003732807.tif 000003
【図３】
0003732807.tif 000004
【図４】
0003732807.tif 000005
【図５】
0003732807.tif 000006
【図６】
0003732807.tif 000007
【図７】
0003732807.tif 000008
【図８】
0003732807.tif 000009
【図９】
0003732807.tif 000010
【図１０】
0003732807.tif 000011
【図１１】
0003732807.tif 000012